(57)【特許請求の範囲】
【請求項１】
液化天然ガス運搬船の推進装置において、
ガスモードではガスを燃料として利用し、オイルモードではオイルを燃料として利用する二重燃料電気発電機；
前記二重燃料電気発電機から電力を供給されて主推進モータに電力を供給する可変周波数変換器；
前記可変周波数変換器に連結され、前記可変周波数変換器から電力を供給されてプロペラを回転させる主推進モータ；
前記可変周波数変換器に連結され、前記二重燃料電気発電機で生産された電力が余った場合に電力を消費する抵抗部；を備え、
前記主推進モータの加減速時に、前記抵抗部が前記二重燃料電気発電機で生産されて余った電力を消費して、前記二重燃料電気発電機がガスモードで動作することを特徴とする、液化天然ガス運搬船の推進装置。
【請求項２】
前記主推進モータにおける消費電力の変化量が閾値以上である場合、前記二重燃料電気発電機がガスモードで一定電力を生産することを特徴とする、請求項１に記載の液化天然ガス運搬船の推進装置。
【請求項３】
前記一定電力は、前記主推進モータにおける要求電力の最大値を満足させる負荷であることを特徴とする、請求項２に記載の液化天然ガス運搬船の推進装置。
【請求項４】
前記主推進モータの消費電力の変化量が閾値以上である場合は、
前記液化天然ガス運搬船の港接岸時であることを特徴とする、請求項２に記載の液化天然ガス運搬船の推進装置。
【請求項５】
前記主推進モータの消費電力の変化量が閾値以上である場合、
前記主推進モータの要求電力が所定値以下であるときには、前記二重燃料電気発電機がガスモードで前記所定値を満足させるように動作し、
前記主推進モータの要求電力が前記所定値を超えるときには、前記二重燃料電気発電機がガスモードで前記主推進モータの要求電力を満足させるように動作することを特徴とする、請求項１に記載の液化天然ガス運搬船の推進装置。
【請求項６】
前記可変周波数変換器は、
ＤＣバス；
前記二重燃料電気発電機で生産された交流電力を直流に変換して前記ＤＣバスに供給する交流／直流変換器；
前記ＤＣバスの直流を交流に変換して前記主推進モータに供給する直流／交流変換器；
前記ＤＣバスに連結された直流／直流変換器；を備えることを特徴とする、請求項１に記載の液化天然ガス運搬船の推進装置。
【請求項７】
前記直流／直流変換器には前記抵抗部が連結され、
前記直流／直流変換器は前記抵抗部への電力供給を制御することを特徴とする、請求項６に記載の液化天然ガス運搬船の推進装置。
【請求項８】
前記二重燃料電気発電機は、ガスモードで動作中に前記液化天然ガス運搬船のＬＮＧ貯蔵タンクに貯蔵されたＢＯＧを利用して電力を生産することを特徴とする、請求項１に記載の液化天然ガス運搬船の推進装置。
【請求項９】
液化天然ガス運搬船において、
ＬＮＧを貯蔵するＬＮＧ貯蔵タンク；
ガスモードではガスを燃料として利用し、オイルモードではオイルを燃料として利用する二重燃料電気発電機；
前記二重燃料電気発電機から電力を供給されてプロペラを回転させる主推進モータ；
前記二重燃料電気発電機で生産された電力が余った場合に電力を消費する抵抗部；を備え、
前記二重燃料電気発電機は、ガスモードで動作中に、前記液化天然ガス運搬船のＬＮＧ貯蔵タンクに貯蔵されたＢＯＧを利用して電力を生産し、
前記主推進モータの加減速時に、前記抵抗部が前記二重燃料電気発電機で生産されて余った電力を消費して、前記二重燃料電気発電機がガスモードで動作することを特徴とする、液化天然ガス運搬船。
【請求項１０】
前記主推進モータにおける消費電力の変化量が閾値以上であるとき、前記二重燃料電気発電機がガスモードで一定電力を生産することを特徴とする、請求項９に記載の液化天然ガス運搬船。
【請求項１１】
前記一定電力は、前記主推進モータにおける要求電力の最大値を満足させる負荷であることを特徴とする、請求項１０に記載の液化天然ガス運搬船。
【請求項１２】
前記主推進モータにおける消費電力の変化量が閾値以上である場合は、前記液化天然ガス運搬船の港接岸時であることを特徴とする、請求項１０に記載の液化天然ガス運搬船。
【請求項１３】
前記主推進モータの消費電力の変化量が閾値以上である場合、
前記主推進モータの要求電力が所定値以下であるときには、前記二重燃料電気発電機がガスモードで前記所定値を満足させるように動作し、
前記主推進モータの要求電力が前記所定値を超えるときには、前記二重燃料電気発電機がガスモードで前記主推進モータの要求電力を満足させるように動作することを特徴とする、請求項９に記載の液化天然ガス運搬船。
【請求項１４】
前記二重燃料電気発電機から電力を供給されて主推進モータに電力を供給する可変周波数変換器をさらに備え、
前記抵抗部は前記可変周波数変換器に連結されることを特徴とする、請求項９に記載の液化天然ガス運搬船。
【請求項１５】
前記可変周波数変換器は、
ＤＣバス；
前記二重燃料電気発電機で生産された交流電力を直流に変換して前記ＤＣバスに供給する交流／直流変換器；
前記ＤＣバスの直流を交流に変換して前記主推進モータに供給する直流／交流変換器；
前記ＤＣバスに連結された直流／直流変換器；を備えることを特徴とする、請求項１４に記載の液化天然ガス運搬船。
【請求項１６】
前記直流／直流変換器は前記抵抗部に連結され、
前記直流／直流変換器は前記抵抗部への電力供給を制御することを特徴とする、請求項１５に記載の液化天然ガス運搬船。
【発明の詳細な説明】
【技術分野】
【０００１】
本発明は、液化天然ガス運搬船（ＬＮＧタンカー）の推進装置に関し、より詳しくは、迅速な加減速が必要である場合にも二重燃料電気発電機がガスモードで動作することができる、液化天然ガス運搬船の推進装置に関する。
【背景技術】
【０００２】
天然ガス（ｎａｔｕｒａｌ  ｇａｓ）は、主成分がメタン（ｍｅｔｈａｎｅ）であり、少量のエタン（ｅｔｈａｎｅ）、プロパン（ｐｒｏｐａｎｅ）などを含む化石燃料であって、近年、様々な技術分野で低公害エネルギー源として脚光を浴びている。特に、ＬＮＧは比較的に安価であり、公害を誘発し難いため、発電燃料として適する。
【０００３】
近年、陸地に埋蔵されているエネルギー源の枯渇に応じて、様々な海洋資源の開発が活発に行われ、海洋で原油や天然ガスを採掘するため油井とガス井の確保及び開発も各国で盛んに行われている。
【０００４】
天然ガスは、ガス状態で運搬されるか、液化されて液化天然ガス（ＬＮＧ、Ｌｉｑｕｅｆｉｅｄ  Ｎａｔｕｒａｌ  Ｇａｓ）の状態で液化天然ガス運搬船（ＬＮＧＣ、Ｌｉｑｕｅｆｉｅｄ  Ｎａｔｕｒａｌ  Ｇａｓ  Ｃａｒｒｉｅｒ）によって遠距離の消費先に運搬される。液化天然ガスは、天然ガスを極低温（約−１６３℃以下）に冷却して得られるものであり、ガス状態よりその体積が約１／６００に減るため海上を通じた遠距離輸送に非常に適する。
【０００５】
天然ガスが液化天然ガス状態で運搬される場合、天然ガスは生産地で極低温に液化され液化天然ガス状態になった後、ＬＮＧ運搬船によって目的地まで遠距離を輸送された後、ＬＮＧ浮遊式貯蔵および再気化装置（ＦＳＲＵ、Ｆｌｏａｔｉｎｇ  Ｓｔｏｒａｇｅ  ａｎｄ  Ｒｅｇａｓｉｆｉｃａｔｉｏｎ  Ｕｎｉｔ）または陸上の荷役ターミナルを経由して再気化され、消費先に供給される。
【０００６】
または、ＬＮＧ再気化船（ＲＶ、ＬＮＧ  Ｒｅｇａｓｉｆｉｃａｔｉｏｎ  Ｖｅｓｓｅｌ）によってＬＮＧが輸送される場合には、ＬＮＧがＬＮＧ浮遊式貯蔵および再気化装置または陸上の荷役ターミナルを経由しなくても、ＬＮＧ再気化船自体で再気化されて、消費先に直接供給される。
【０００７】
天然ガスの液化温度は常圧で約−１６３℃の極低温であるため、ＬＮＧはその温度が常圧で−１６３℃より若干高くても気化する。従来のＬＮＧ運搬船を例に挙げて説明すると、ＬＮＧ運搬船の貨物倉は断熱処理が施されているが、外部熱がＬＮＧに持続的に伝達されるため、ＬＮＧ運搬船によるＬＮＧの輸送中にＬＮＧが船倉内で継続的に気化されて、貨物倉内で気化ガス（Ｂｏｉｌ−Ｏｆｆ  Ｇａｓ）が発生する。
【０００８】
二重燃料油電気推進の液化天然ガス運搬船は、二重燃料電気発電機が生産した電力を利用して推進モータを駆動する。二重燃料電気発電機は、重油、軽油、天然ガスの３つの燃料のうち１つの燃料を用いて複数のエンジンを駆動し、その駆動軸に連結した発電機を介して電力を生産する。生産された電力は配電盤を介して、補助機器、推進モータなどに供給される。また、船舶の推進に必要な回転数で推進モータを駆動させるため、可変周波数変換器を用いて主推進モータに電力供給および速度制御を行う。
【０００９】
ガスが一般重油、軽油に比べて、同一動力を生産した場合に、費用が低く、有害物質の排出も少ない。
【００１０】
しかし、発電機がガスモードで動作するときは、オイルモードで動作するときより負荷変更に時間がかかる。図１は、発電機の最大負荷増加率を示した図であり、表１は発電機がガスモードとオイルモードで動作するときにおいてシャフト（ｓｈａｆｔ）速度の変更にかかる時間を示す。
【００１１】
【表１】
0006633055.tif 000002
【００１２】
表１に示すように、発電機がガスモードで動作するときには、発電機負荷を同一量だけ変更するのにオイルモードで動作するときより２倍程度の時間がかかる。しかし、港接岸、またはクラッシュアスターン（Ｃｒａｓｈ  ａｓｔｅｒｎ）などの状況では、迅速な加減速が必要である。図２は、港接岸時におけるシャフトの速度変化を示す図である。図２に示すように、港接岸時には速度が急変し、それに応じて発電機の負荷が急変する。
【００１３】
したがって、迅速な加減速が必要となる港接岸、またはクラッシュアスターン（Ｃｒａｓｈ  ａｓｔｅｒｎ）などの状況では、二重燃料電気発電機がガスモードで動作することができなくなり、無理やりガスモードで運転した場合には、エンジンの損傷と主電源周波数の不安定による船舶内の停電が誘発される恐れがある。
【００１４】
上述のとおり、従来技術は迅速な加減速が必要となった場合に、ガスモードの動作が不可能であるという問題点がある。
【００１５】
特に、港接岸（Ｍａｎｏｅｕｖｒｉｎｇ）時に要求される船舶の迅速な加減速は、二重燃料電気発電機がガスモードの運転状態では許容される負荷変動の限度を超えるため、二重燃料電気発電機がオイルモードに転換した後、港接岸を実行する。
【００１６】
特に、ＬＮＧを積載するために港接岸するときには、ＬＮＧローディング（ｌｏａｄｉｎｇ）するためのタンククールダウン（Ｔａｎｋ  ｃｏｏｌ  ｄｏｗｎ）を実行中であるため、余剰気化ガスの発生が多く、ＬＮＧを積載して港から出る時にも余剰気化ガスが多く発生するが、従来技術は港接岸時において二重燃料電気発電機のガスモード動作が不可能であるため、多量の気化ガスが浪費される問題点がある。
【発明の概要】
【発明が解決しようとする課題】
【００１７】
本発明の目的は、迅速な加減速が必要なときにも二重燃料電気発電機がガスモードで動作できる液化天然ガス運搬船の推進装置を提供することである。
【課題を解決するための手段】
【００１８】
前記目的を達成するため、本発明の一実施例では、液化天然ガス運搬船の推進装置において、ガスモードではガスを燃料として利用し、オイルモードではオイルを燃料として利用する二重燃料電気発電機；前記二重燃料電気発電機から電力を供給されて主推進モータに電力を供給する可変周波数変換器；前記可変周波数変換器に連結され、前記可変周波数変換器から電力を供給されてプロペラを回転させる主推進モータ；前記可変周波数変換器に連結され、前記二重燃料電気発電機で生産された電力が余った場合に電力を消費する抵抗部；を備え、前記主推進モータの加減速時に、前記抵抗部が前記二重燃料電気発電機で生産されて余った電力を消費して、前記二重燃料電気発電機がガスモードで動作する、液化天然ガス運搬船の推進装置が提供される。
【００１９】
特に、前記主推進モータの消費電力の変化量が閾値以上であるときに、前記二重燃料電気発電機はガスモードで一定電力を生産することができる。
【００２０】
また、前記一定電力は前記主推進モータにおける要求電力の最大値を満足させる負荷であり得る。
【００２１】
また、前記主推進モータの消費電力の変化量が閾値以上になるのは、前記液化天然ガス運搬船の港接岸時であり得る。
【００２２】
また、前記主推進モータの消費電力の変化量が閾値以上であるときにおいて、前記主推進モータの要求電力が所定値以下である場合には前記二重燃料電気発電機はガスモードで前記所定値を満足するように動作し、前記主推進モータの要求電力が前記所定値を超えると前記二重燃料電気発電機はガスモードで前記主推進モータの要求電力を満足させるように動作することができる。
【００２３】
また、前記可変周波数変換器は、ＤＣバス；前記二重燃料電気発電機で生産された交流電力を直流に変換して前記ＤＣバスに供給する交流／直流変換器；前記ＤＣバスの直流を交流に変換して前記主推進モータに供給する直流／交流変換器；前記ＤＣバスに連結された直流／直流変換器を備え得る。
【００２４】
また、前記直流／直流変換器には前記抵抗部が連結され、前記直流／直流変換器は前記抵抗部への電力供給を制御することができる。
【００２５】
また、前記二重燃料電気発電機は、ガスモードで動作する間に前記液化天然ガス運搬船のＬＮＧ貯蔵タンクに貯蔵されたＢＯＧを利用して電力を生産することができる。
【００２６】
前記目的を達成するため、本発明における他の実施例では、液化天然ガス運搬船において、ＬＮＧを貯蔵するＬＮＧ貯蔵タンク；ガスモードではガスを燃料として利用し、オイルモードではオイルを燃料として利用する二重燃料電気発電機；前記二重燃料電気発電機から電力を供給されてプロペラを回転させる主推進モータ；前記二重燃料電気発電機で生産された電力が余った場合に電力を消費する抵抗部；を備え、前記二重燃料電気発電機は、ガスモードで動作中に、前記液化天然ガス運搬船のＬＮＧ貯蔵タンクに貯蔵されたＢＯＧを利用して電力を生産し、前記主推進モータの加減速時に、前記抵抗部が前記二重燃料電気発電機で生産されて余った電力を消費して、前記二重燃料電気発電機がガスモードで動作する、液化天然ガス運搬船が提供される。
【００２７】
特に、前記主推進モータにおける消費電力の変化量が閾値以上であるとき、前記二重燃料電気発電機はガスモードで一定電力を生産することができる。
【００２８】
また、前記一定電力は、前記主推進モータにおける要求電力の最大値を満足させる負荷であり得る。
【００２９】
また、前記主推進モータの消費電力の変化量が閾値以上である場合は、前記液化天然ガス運搬船の港接岸時であり得る。
【００３０】
また、前記主推進モータの消費電力の変化量が閾値以上であるときに、前記主推進モータの要求電力が所定値以下である場合には前記二重燃料電気発電機がガスモードで前記所定値を満足させるように動作し、前記主推進モータの要求電力が前記所定値を超える場合には前記二重燃料電気発電機はガスモードで前記主推進モータの要求電力を満足させるように動作することができる。
【００３１】
また、前記二重燃料電気発電機から電力を供給されて主推進モータに電力を供給する可変周波数変換器をさらに備え、前記抵抗部は前記可変周波数変換器に連結され得る。
【００３２】
また、前記可変周波数変換器は、ＤＣバス；前記二重燃料電気発電機で生産された交流電力を直流に変換して前記ＤＣバスに供給する交流／直流変換器；前記ＤＣバスの直流を交流に変換して前記主推進モータに供給する直流／交流変換器；前記ＤＣバスに連結された直流／直流変換器を備え得る。
【００３３】
また、前記直流／直流変換器は前記抵抗部に連結され、前記直流／直流変換器は前記抵抗部への電力供給を制御することができる。
【発明の効果】
【００３４】
本発明の実施例によれば、抵抗部を備えることで二重燃料油発電機が一定の負荷で動作し、二重燃料油発電機で生産された電力が余った場合には抵抗部で電力を消費させることで、迅速な加減速が必要な時にも二重燃料電気発電機がガスモードで動作することができるため、燃料費の低減と有害ガスの排出を減らすことができる。
【図面の簡単な説明】
【００３５】
【図１】発電機における最大負荷増加率を示す図。
【図２】港接岸時のシャフトの速度変化を示す図。
【図３】本発明の第１実施形態に係る液化天然ガス運搬船の推進装置を示す図。
【図４】本発明の第２実施形態に係る液化天然ガス運搬船の推進装置を示す図。
【発明を実施するための形態】
【００３６】
以下において、本発明の好適実施例を、添付された図面を参照して詳細に説明する。各図面の構成要素に参照符号を付することにおいて、同一構成要素に対して、たとえ他の図面上に表示されても、できるだけ同じ符号を付している。また、本発明の説明において、関連の公知構成または機能に関する具体的な説明が本発明の要旨から離れると判断した場合には、その詳細な説明は省略する。
【００３７】
まず、図３を参照して、本発明の第１実施形態に係る液化天然ガス運搬船の推進装置を説明する。図３は、本発明の第１実施形態に係る液化天然ガス運搬船の推進装置を示す図である。
【００３８】
図３に示すように、本発明の第１実施形態に係る液化天然ガス運搬船の推進装置は、二重燃料電気発電機（３１０）、可変周波数変換器（３２０）、主推進モータ（３３０）、抵抗部（３４０）、減速ギア（ｒｅｄｕｃｔｉｏｎ  ｇｅａｒ）（３５０）、プロペラ（３６０）を備える。
【００３９】
二重燃料電気発電機（３１０）は、オイルまたは天然ガスを燃料として使用して電力を生産する。二重燃料電気発電機（３１０）は、オイルモードで動作する場合にはオイルを使用して電力を生産し、ガスモードで動作する場合には天然ガスを利用して電力を生産する。
【００４０】
ＬＮＧＣはＬＮＧ貯蔵タンクにＬＮＧを貯蔵して輸送し、ＬＮＧ貯蔵タンクに貯蔵されたＬＮＧが自然気化してＢＯＧが生成される。したがって、二重燃料電気発電機（３１０）は、ガスモードで動作するときにＢＯＧを利用して電力を生産することができる。
【００４１】
天然ガスがオイルに比べて安価であり、有害物質の排出が少ないため、二重燃料電気発電機（３１０）はガスモードで動作した方がより有利である。しかし、二重燃料電気発電機（３１０）がガスモードで動作するときには、発電機の同量の負荷を変更するのにオイルモードで動作するときより２倍程度の時間がかかる。ところが、港接岸やクラッシュアスターン（Ｃｒａｓｈ  ａｓｔｅｒｎ）などの状況では迅速な加減速が必要であり、それに応じて主推進モータ（３３０）の要求電力が急変する。
【００４２】
本発明の第１実施例では、迅速な加減速が必要な場合に二重燃料電気発電機（３１０）がガスモードで一定の負荷で動作する。すなわち、二重燃料電気発電機（３１０）がガスモードで一定量の電力を生産する。また、ＬＮＧＣの速度が低いため電力が余った場合は、余った電力を抵抗部（３４０）が消費する。
【００４３】
一例において、迅速な加減速が必要な場合に主推進モータ（３３０）の要求電力が急変するが、二重燃料電気発電機（３１０）は主推進モータにおける要求電力の最大値を満足させるように動作し続ける。また、主推進モータ（３３０）の要求電力が最大値であるときは二重燃料電気発電機（３１０）で生産された電力を主推進モータ（３３０）で消費し、主推進モータ（３３０）の要求電力が最大値未満であるときには二重燃料電気発電機（３１０）で生産された電力のうち、余った量を抵抗部（３４０）で消費する。
【００４４】
他の例において、二重燃料電気発電機（３１０）は、主推進モータ（３３０）における要求電力の最大値の一定割合を満足させるように動作することができる。例えば、主推進モータにおける要求電力の最大値がＡである場合、二重燃料電気発電機（３１０）は０．８Ａを満足させる負荷で動作し得る。二重燃料電気発電機（３１０）は、主推進モータ（３３０）の要求電力が０．８Ａ以下であるときには０．８Ａを満足させるように一定負荷で動作し続けて、主推進モータ（３３０）の要求電力が０．８Ａを超えた場合には主推進モータ（３３０）の要求電力を満足させる負荷として動作する。すなわち、主推進モータ（３３０）の要求電力が０．８Ａ以下である場合にも二重燃料電気発電機（３１０）が０．８Ａを満足させる負荷として動作することにより、主推進モータ（３３０）の要求電力が急増した場合にも主推進モータ（３３０）の要求電力を満足させることができる。
【００４５】
可変周波数変換器（３２０）は、二重燃料電気発電機（３１０）から電力を供給され主推進モータ（３３０）に電力を供給する。図３に示すように、可変周波数変換器（３２０）は、交流／直流変換器（３２１）、ＤＣバス（３２２）、直流／交流変換器（３２４）、直流／直流変換器（３２３）を備える。
【００４６】
交流／直流変換器（３２１）は二重燃料電気発電機（３１０）で生産された交流電力を直流に変換してＤＣバス（３２２）に供給し、直流／交流変換器（３２４）はＤＣバス（３２２）の直流を交流に変換して主推進モータ（３３０）に供給する。
【００４７】
直流／直流変換器（３２３）には抵抗部（３４０）が連結され、抵抗部（３４０）への電力供給を制御する。すなわち、二重燃料電気発電機（３１０）で生産された電力が余った場合は抵抗部（３４０）に電力を供給させる。
【００４８】
抵抗部（３４０）は前記可変周波数変換器（３２０）に連結されて、二重燃料電気発電機（３１０）で生産された電力が余った場合に電力を消費する。
【００４９】
主推進モータ（３３０）は可変周波数変換器（３２０）に連結され、前記可変周波数変換器（３２０）から電力を供給されプロペラ（３６０）を回転させる。
【００５０】
減速ギア（３５０）は回転数をプロペラ（３６０）の回転数に変換する。
【００５１】
続いて、図４を参照して、本発明の第２実施形態に係る液化天然ガス運搬船の推進装置を説明する。図４は、本発明の第２実施形態に係る液化天然ガス運搬船の推進装置を示す図である。
【００５２】
図４に示すように、本発明の第２実施形態に係る液化天然ガス運搬船の推進装置は、二重燃料電気発電機（３１０）、可変周波数変換器（３２０）、主推進モータ（３３０）、電力貯蔵部（４１０）、抵抗部（３４０）、減速ギア（ｒｅｄｕｃｔｉｏｎ  ｇｅａｒ）（３５０）、プロペラ（３６０）を備える。
【００５３】
二重燃料電気発電機（３１０）は、オイルまたは天然ガスを燃料で使用して電力を生産する。二重燃料電気発電機（３１０）は、オイルモードで動作する場合にはオイルを使用して電力を生産し、ガスモードで動作する場合には天然ガスを利用して電力を生産する。
【００５４】
ＬＮＧＣはＬＮＧ貯蔵タンクにＬＮＧを貯蔵して輸送し、ＬＮＧ貯蔵タンクに貯蔵されたＬＮＧが自然気化してＢＯＧが生成される。したがって、二重燃料電気発電機（３１０）は、ガスモードで動作するときにＢＯＧを利用して電力を生産することができる。
【００５５】
本発明の第２実施例では、迅速な加減速が必要な場合に、二重燃料電気発電機（３１０）がガスモードで一定負荷として動作する。すなわち、二重燃料電気発電機（３１０）がガスモードで一定量の電力を生産する。また、二重燃料電気発電機（３１０）における生産電力が主推進モータの要求電力より多いため電力が余った場合には電力貯蔵部（４１０）が電力を貯蔵し、二重燃料電気発電機（３１０）の生産電力が主推進モータの要求電力より少ないため電力が足りないときには電力貯蔵部（４１０）が電力を供給する。また、電力が余った時に電力貯蔵部（４１０）の容量が満たされた場合には、余った電力を抵抗部（３４０）に消費させる。
【００５６】
可変周波数変換器（３２０）は二重燃料電気発電機（３１０）から電力を供給されて主推進モータ（３３０）に電力を供給する。図３に示すように、可変周波数変換器（３２０）は、交流／直流変換器（３２１）、ＤＣバス（３２２）、直流／交流変換器（３２４）、直流／直流変換器（３２３）を備える。
【００５７】
交流／直流変換器（３２１）は二重燃料電気発電機（３１０）で生産された交流電力を直流に変換してＤＣバス（３２２）に供給し、直流／交流変換器（３２４）はＤＣバス（３２２）の直流を交流に変換して主推進モータ（３３０）に供給する。
【００５８】
直流／直流変換器（３２３）には抵抗部（３４０）が連結され、抵抗部（３４０）への電力供給を制御する。すなわち、二重燃料電気発電機（３１０）で生産された電力が余った場合には、抵抗部（３４０）に電力が供給される。
【００５９】
電力貯蔵部（４１０）は可変周波数変換器（３２０）に連結されて、二重燃料電気発電機（３１０）で生産された電力が余った場合に電力を貯蔵し、電力が足りない場合には電力を供給する。電力貯蔵部（４１０）は、ウルトラキャパシタ、キャパシタ、バッテリー、およびフライホイール（ｆｌｙ  ｗｈｅｅｌ）の少なくともいずれか一つであり得る。特に、電力貯蔵部（４１０）がウルトラキャパシタである場合、ウルトラキャパシタは反応速度が発電機（３１０）より速いため、主推進モータ（３３０）の要求電力が急増した場合、主推進モータ（３３０）への迅速な電力供給が可能である。
【００６０】
抵抗部（３４０）は可変周波数変換器（３２０）に連結されて、二重燃料電気発電機（３１０）で生産された電力が余った場合に電力を消費する。
【００６１】
主推進モータ（３３０）は可変周波数変換器（３２０）に連結され、前記可変周波数変換器（３２０）から電力を供給されてプロペラ（３６０）を回転させる。
【００６２】
減速ギア（３５０）は回転数をプロペラ（３６０）の回転数に変換する。
【００６３】
以上の説明は、単に本発明における技術思想の例示的な説明に過ぎない。本発明が属する技術分野における通常の知識を有する者であれば、本発明の本質的な特性を超えない範囲で様々な修正と変形が可能である。したがって、本発明に開示された実施例は、本発明の技術思想を限定するのではなく、説明するためのものであって、これらの実施例により、本発明の技術思想の範囲は限定されない。本発明の保護範囲は、下記の特許請求の範囲によって解釈すべきであり、均等範囲内のすべての技術思想は本発明の権利範囲に含まれると解釈すべきである。
【図１】
0006633055.tif 000003
【図２】
0006633055.tif 000004
【図３】
0006633055.tif 000005
【図４】
0006633055.tif 000006